(57)【要約】【課題】回転繰出操作を阻害することなく、筆記体を繰り出す際に回転操作する箇所が分かりやすく、さらに前軸部材と後軸部材との連接箇所の隙間が目立ち難い構造の回転繰出式筆記具を提供する。【解決手段】前軸部材に、前方から後方へ向かって縮径する複数の連続した段を有する前方連接部を設け、後軸部材に、後方から前方へ向かって縮径する複数の連続した段を有する後方連接部を設け、前記前軸部材と前記後軸部材とを前記前方連接部と前記後方連接部とが隙間を隔てて対向するよう連接させることにより、軸筒の中央部に複数の連続した環状の段を有する括れ部を構成する。【選択図】        図１
2007283537.tif 000002
【特許請求の範囲】
【請求項１】
連接して軸筒を成す前軸部材と後軸部材とを相対的に回転することにより、前記軸筒の内部に収容した筆記体の筆記先端を当該軸筒の先端開口より突出させる構造の回転繰出式筆記具において、前記前軸部材に、前方から後方へ向かって縮径する複数の連続した段を有する前方連接部を設け、前記後軸部材に、後方から前方へ向かって縮径する複数の連続した段を有する後方連接部を設け、前記前軸部材と前記後軸部材とを前記前方連接部と前記後方連接部とが隙間を隔てて対向するよう連接させることにより、軸筒の中央部に複数の連続した環状の段を有する括れ部を構成したことを特徴とする回転繰出式筆記具。
【発明の詳細な説明】
【技術分野】
【０００１】
本発明は、連接した前軸と後軸とを相対的に回転することによって、軸筒内部に収容した筆記体の筆記先端を軸筒の先端開口より突出させる構造の回転繰出式筆記具に関する。
【背景技術】
【０００２】
従来より、連接した前軸部材と後軸部材とを相対的に回転させることで軸筒内部に備えたカム機構を操作し、軸筒の先端開口よりボールペンの先端チップ等を突出させる構造の回転繰出式筆記具は良く知られている。例えば図９は一般的な従来構造の回転繰出式筆記具の側面図である。図９に示す回転繰出式筆記具２０１は、軸筒２０２を構成する前軸部材２０３と後軸部材２０４とを相対的に回転可能に連接してあり、前軸部材２０３と後軸部材２０４の連接箇所に隙間２０５を設けて回転操作が滑らかに行なえるようにしてある。また、図１０は他の従来構造の回転繰出式筆記具の側面図である。図に示す回転繰出式筆記具３０１は、軸筒３０２を構成する前軸部材３０３の後方部に後軸部材３０４の前端部を被せて連接箇所を目隠しする構造である。この様な構造は例えば特開平７−２３７３９４号公報にも記載されている。
【特許文献１】特開平７−２３７３９４号公報
【発明の開示】
【発明が解決しようとする課題】
【０００３】
ところで、前述の従来構造の回転繰出式筆記具２０１は、前軸部材２０３と後軸部材２０４とが隣り合う連接部に隙間２０５を設けることから、隙間の開き具合によっては見栄えを悪くする虞があった。尚、見栄えが悪くならないように隙間を狭く設定した場合には、前軸部材と後軸部材とが擦れ合い、回転が渋くなって操作性が悪くなるという問題が生じた。また、最近の筆記具は形態や構造が多様化しており、軸筒を構成する部材が前軸と後軸だけでなく、口金や尾冠あるいはグリップに別れている筆記具も多くあり、使用者が回転操作を行う際に、筆記具の何処の箇所で回転操作を行えばよいか迷ってしまう場合もあった。また、回転繰出式筆記具３０１のように、前軸部材３０３の後方部に後軸部材３０４の前端部を被せる構造のものでは、回転操作を行う箇所に使用者の迷いは生じないものの、後軸部材３０４の前方部を前軸部材３０３の後部より大きく設定しなければならないことから、細身の軸筒にしたい時に不都合が生じたり、軸筒を把持した使用者の手に後軸部材３０４の前端部が接触して使用感を悪くする場合もあった。
【特許文献１】特開平７−２３７３９４号公報
【０００４】
本発明は前記事実に鑑みてなされたもので、回転繰出操作を阻害することなく、筆記体を繰り出す際に回転操作する箇所が分かりやすく、さらに前軸部材と後軸部材との連接箇所の隙間が目立ち難い構造の回転繰出式筆記具を提供するものである。
【課題を解決するための手段】
【０００５】
本発明は、
「連接して軸筒を成す前軸部材と後軸部材とを相対的に回転することにより、前記軸筒の内部に収容した筆記体の筆記先端を当該軸筒の先端開口より突出させる構造の回転繰出式筆記具において、前記前軸部材に、前方から後方へ向かって縮径する複数の連続した段を有する前方連接部を設け、前記後軸部材に、後方から前方へ向かって縮径する複数の連続した段を有する後方連接部を設け、前記前軸部材と前記後軸部材とを前記前方連接部と前記後方連接部とが隙間を隔てて対向するよう連接させることにより、軸筒の中央部に複数の連続した環状の段を有する括れ部を構成したことを特徴とする回転繰出式筆記具」
である。
【０００６】
連接部に形成する段は、連接部の外側面に段々が階段状に連なる形態、あるいはテーパー状の連接部に対して外側面に複数のリブを形成した形態とする。また、各々の段の外側形状は、円形状や多角形状とする。尚、前軸部材と後軸部材との間に設ける隙間の巾は、連接部の外周面に設けた段やリブの巾と一緒に設定することにより、隙間の存在が段やリブの縞模様と混ざって目立ち難いものとなる。また、前軸部材の前方連接部および後軸部材の後方連接部の隣り合う段部の外径を等しく設定することにより、括れ部における段のつながりが見た目に良いものとなる。
【発明の効果】
【０００７】
本発明による回転繰出式筆記具は前述した構造なので、前方連接部および後方連接部に形成した複数の連続する段の存在により、前軸部材と後軸部材との間の隙間が目立ち難いものとなる。また、前軸部材の連接部と後軸部材の連接部とで構成される括れ部の存在によって、回転操作させる箇所が明確になって操作性が向上し、その筆記具を初めて使用する人であっても回転操作させる箇所の見当をつけることができる。
【発明を実施するための最良の形態】
【０００８】
次に図面を参照しながら、本発明の回転繰出式筆記具について説明を行うが、本発明は以下の実施例に限定されるものではない。また図中の同じ部材、同じ部品については、同じ符号としてある。本実施例では、筆記体として筆記先端にボールペンチップを配した回転繰出式ボールペンについて説明を行い、図中において口金がある側を前方とし反対側を後方として表現する。
【実施例】
【０００９】
図１は本実施例の回転繰出式ボールペンの側面図である。ボールペン１は、前軸部材２と後軸部材３とを連接して軸筒４を構成し、前軸部材２の前端部に口金５を装着し、後軸部材３の後端部に尾冠６を装着し、後軸部材３と尾冠６との間にクリップ７の基部を挟持してある。前軸部材２と後軸部材３は、前軸部材２の前方連接部２０と後軸部材３の後方連接部３０とが隙間８を隔てて対向するように連接してある。
【００１０】
次に図２を用いてボールペン１の内部構造を説明する。図２は図１の縦断面図である。図に示すように、口金５は前軸部材２の前端部に螺着してあり、尾冠６は開口部６ａを後軸部材３の後端開口部３ａに圧入した継手９の凸部９ａへ嵌着してある。また、継手９の前方開口部９ｂには、前軸部材２の後端部に螺着した内筒１０の後端開口部１０ａに遊嵌する繰出カム１１を嵌着して、後軸部材３と継手９と尾冠６とクリップ７とが一体に回転するようにした。また、繰出カム１１の前方部には摺動体１２を配設し、繰出カム１１に形成したカム斜面１１ａを摺動体１２に形成したカム壁１２ａに当接させることにより、摺動体１２をカム動作で前後動できるようにした。尚、前記摺動体１２のカム壁１２ａは、内筒１０に穿孔したスリット１０ｂに挿通して摺動体１２の回転運動を抑制し、前後動を行えるようにしてある。
【００１１】
図３は軸筒の先端からチップ先端を突出させた状態の図である。図に示すようにボールペン１は、後軸部材３を前軸部材２に対して回転させることにより、繰出カム１１のカム斜面１１ａで摺動体１２のカム壁１２ａを前進させ、軸筒４内に収容したレフィル１３を、軸筒４の前方に配したコイルバネ１４の弾発力に抗して前進させ、レフィル１３のチップ先端１３ａを口金５の先端開口５ａから突出した。
【００１２】
本実施例では、前方連接部２０を前軸部材２の外表面に形成し、当該前方連接部２０の側面には、前方から後方へ向かって縮径する複数の連続した階段状の段２０ａを形成してある。また、後方連接部３０は、後軸部材３の前方部に金輪３１を螺着して成しており、当該金輪３１の側面には、後方から前方に向かって縮径する複数の連続した階段状の段３１ａを形成してある。したがって、前方連接部２０と後方連接部３０とが向き合うことによって、軸筒４の中央部に複数の円環状の連続した段を有する括れ部１５を構成した。図４は本実施例の括れ部の要部拡大図であり、図５は図４の縦断面図である。
【００１３】
図６は他の実施例の回転繰出式ボールペンの側面図である。図７は図６の括れ部の要部拡大図であり、図８は図７の縦断面図である。図６に示すボールペン１０１は、前軸部材１０２に設けた前方連接部１２０の側面には、前方から後方へ向かって縮径する複数の連続した円形状のリブ１２０ａを形成してある。また、後方連接部１３０は後軸部材１０３の前方部に金輪１３１を螺着して成しており、当該金輪１３１の側面には、後方から前方に向かって縮径する複数の連続したリブ１３１ａを形成してある。したがって、前方連接部１２０と後方連接部１３０とが向き合うことによって、軸筒１０４の中央部に複数の円環状の連続した段を有する括れ部１１５を構成した。他の点は前述の実施例と同様であるため説明は省略する。
【産業上の利用可能性】
【００１４】
本願発明による回転繰出式筆記具の構造は、ボールペン以外にもマーカーペンや万年筆、あるいは修正具や化粧具等の塗布具に用いることも可能である。また、軸筒内に複数の筆記体を収容した回転繰出式の多芯筆記具に用いることも可能である。
【図面の簡単な説明】
【００１５】
【図１】本実施例の回転繰出式ボールペンの側面図である。
【図２】図１の縦断面図である。
【図３】軸筒の先端開口からチップ先端部を突出させた状態の図である。
【図４】本実施例の括れ部の要部拡大図である。
【図５】図４の縦断面図である。
【図６】他の実施例の回転繰出式ボールペンの側面図である。
【図７】図６の括れ部の要部拡大図である。
【図８】図７縦断面図である
【図９】従来構造の回転繰出式筆記具の側面図である。
【図１０】他の従来構造の回転繰出式筆記具の側面図である。
【符号の説明】
【００１６】
１…ボールペン、
２…前軸部材、２０…前方連接部、２０ａ…段、
３…後軸部材、３ａ…後端開口部、３０…後方連接部、３１…金輪、３１ａ…段、
４…軸筒、５…口金、５ａ…先端開口、６…尾冠、６ａ…開口部、７…クリップ、
８…隙間、９…継手、９ａ…凸部、９ｂ…前方開口部、
１０…内筒、１０ａ…後端開口部、１０ｂ…スリット、
１１…繰出カム、１１ａ…カム斜面、
１２…摺動体、１２ａ…カム壁、１３…レフィル、１３ａ…チップ先端、
１４…コイルバネ、１５…括れ部、
１０１…ボールペン、
１０２…前軸部材、１２０…前方連接部、１２０ａ…リブ、
１０３…後軸部材、１３０…後方連接部、１３１…金輪、１３１ａ…リブ、
１０４…軸筒、１１５…括れ部。
【図１】
2007283537.tif 000003
【図２】
2007283537.tif 000004
【図３】
2007283537.tif 000005
【図４】
2007283537.tif 000006
【図５】
2007283537.tif 000007
【図６】
2007283537.tif 000008
【図７】
2007283537.tif 000009
【図８】
2007283537.tif 000010
【図９】
2007283537.tif 000011
【図１０】
2007283537.tif 000012